(57)【要約】【課題】同時に複数系統の流路を形成でき、任意の流路のサンプル採取、取り替えが可能であり、取り扱いが容易で複数の流路を同時に顕微鏡で比較観察できる付着物質観察用流路を開発する。【解決手段】透明管と、内端に透明管を外端に循環チューブを接続可能なジョイント管と、所定間隔離れて対向する一対の固定部を連結部で連結一体化したフレームを有し、透明管の両端にジョイント管を接続したユニット管複数個を、その両側のジョイント管を固定部に固定することでフレームに装着する。これを顕微鏡にセットし、複数の透明管内面の付着物質を比較観察することができる。透明管は、ジョイント管及びフレームと別体になっているので、任意の流路のサンプル採取、取り替えが可能である。【選択図】      図１
2007138997.tif 000002
【特許請求の範囲】
【請求項１】
透明管と、
内端に前記透明管を、外端に循環チューブを接続可能なジョイント管と、
所定間隔離れて対向する一対の固定部を連結部で連結一体化したフレームを有し、
前記透明管の両端に前記ジョイント管を接続したユニット管複数個を、その両側のジョイント管を前記一対の固定部に固定することで前記フレームに装着したことを特徴とする付着物質観察用流路。
【請求項２】
前記フレーム及びジョイント管が金属製で、前記透明管がガラス製であることを特徴とする請求項１記載の付着物質観察用流路。
【請求項３】
請求項１又は２に記載の流路において、前記固定部に前記ジョイント管を挿通する貫通孔、及び該貫通孔に連通する雌ねじ孔が形成され、前記ジョイント管を前記貫通孔に挿通した後、前記雌ねじ孔にビスをねじ込んで前記ジョイント管を前記固定部に固定することを特徴とする付着物質観察用流路。
【請求項４】
請求項１、２又は３に記載の流路において、前記透明管の断面形状が四辺形であることを特徴とする付着物質観察流路。
【発明の詳細な説明】
【技術分野】
【０００１】
本発明は、上下水道管など、各種の管路の内面へ付着物質（主にバクテリア）が堆積する様子を観察でき、また、これらの付着物質を防ぐ薬剤の効き目を検証できる付着物質観察用流路に関する。
【背景技術】
【０００２】
流路に関する技術は、例えば、下記の特許文献１に開示されている。これは、適当な基板の上に流路となる溝を形成しておき、その上に板又は膜を張り合わせて溝の上面を閉塞し、流路とするものである。
【特許文献１】特開２００４−１９４６５２
【発明の開示】
【発明が解決しようとする課題】
【０００３】
上記のような、基板の上に流路となる溝を形成しておき、その上に板又は膜を張り合わせて溝の上面を閉塞するものは、次のような問題点がある。
（１）流路の断面形状が限定される。例えば完全な円形断面の流路は形成できない。
（２）付着物質のサンプルは、流路を切断して採取するが、１つの基板に複数系統の流路を形成した場合、任意の流路のみのサンプル採取が困難である。また、１つの基板に１つの流路を形成したものを複数個用いる場合は、取り扱いが煩雑となり、同時に顕微鏡で比較観察するのも困難となる。
（３）１つの基板に複数系統の流路を形成した場合、任意の流路のみを取り替え、リセットすることができない。
【０００４】
本発明は、上記の問題点を解決するもので、同時に複数系統の流路を形成でき、任意の流路のサンプル採取、取り替えが可能であり、取り扱いが容易で複数の流路を同時に顕微鏡で比較観察できる付着物質観察用流路を開発することを課題とするものである。
【課題を解決するための手段】
【０００５】
本発明は、透明管と、内端に前記透明管を、外端に循環チューブを接続可能なジョイント管と、所定間隔離れて対向する一対の固定部を連結部で連結一体化したフレームを有し、前記透明管の両端に前記ジョイント管を接続したユニット管複数個を、その両側のジョイント管を前記一対の固定部に固定することで前記フレームに装着したことを特徴とする付着物質観察用流路である。
【発明の効果】
【０００６】
本発明の付着物質観察用流路は、これを顕微鏡にセットし、複数の透明管を同時に顕微鏡観察することが可能で、容易に、複数の流路の内面の付着物質を比較観察することができる。
【０００７】
透明管は、ジョイント管及びフレームと別体になっているので、任意の断面形状の流路とすることができる。また、任意の流路のサンプル採取、取り替えを容易に行うことができるので、時系列的な付着物質の比較観察及びサンプル回収を行うことができる。
【発明を実施するための最良の形態】
【０００８】
本発明において、透明管の材質は、内面に堆積した付着物質を外側から明瞭に観察できる透明性を有するものであれば良く、例えばガラス、透明プラスチックなどを採用できるが、通常の場合ガラスが最適である。特に、低蛍光・無蛍光ガラスを採用することにより、蛍光顕微鏡での付着物質観察が可能となる。透明管の断面形状は、円形、四辺形など自由であるが、四辺形にすると、顕微鏡観察を行う場合、顕微鏡のレンズと平行セットができ、光の屈折障害を防いで明瞭な観察ができる。
【０００９】
フレームの材質は、使用に耐える強度、剛性を有するものであれば良く、例えば金属、プラスチックなどが可能であるが、特にステンレス鋼が好ましい。形状や大きさも自由であり、連結部の数、装着するユニット管の数（複数）も任意である。大きさは、顕微鏡にセットし、複数の透明管を同時に顕微鏡観察できる程度の大きさが望ましい。
【００１０】
本発明において、ジョイント管の材質は、フレームの固定部に堅固に固定できる強度と剛性を有するものであれば良く、例えば金属、プラスチックなどが可能であるが、特にステンレス鋼が好ましい。
【００１１】
本発明において、循環チューブの材質は自由であるが、例えばシリコーンゴム製のチューブを採用できる。
【００１２】
本発明において、フレームの固定部にジョイント管を固定する方法は、例えば、固定部にジョイント管を挿通する貫通孔、及び該貫通孔に連通する雌ねじ孔を形成しておき、ジョイント管をこの貫通孔に挿通した後、雌ねじ孔にビスをねじ込んでジョイント管を固定する方法を採用できる。これによれば、各ユニット管を確実に固定でき、しかも、選択的に、任意のユニット管を取り外したり、取り替えたりすることを容易に行うことができる。
【実施例】
【００１３】
以下、実施例を表した図面に基づいて本発明を詳細に説明する。図１は実施例の流路１の平面図、図２は図１におけるＡ−Ａ線断面図、図３は図１におけるＢ−Ｂ線断面図、図４はジョイント管６の断面図である。
【００１４】
付着物質観察用流路１は、フレーム２、透明管５及びジョイント管６などからなる。フレーム２はステンレス製で、バー状をなす一対の固定部３、３が所定間隔で対向し、その間を連結部４で一体的に連結し、全体が中空の四辺形状に形成されている。各固定部３、３には水平方向に５個の貫通孔７が設けられ、さらに上方から貫通孔７に連通する雌ねじ孔８が形成されている。
【００１５】
透明管５はガラス製で、断面がほぼ正方形の管である。ジョイント管６はステンレス製で外形が円柱状をなし、図４に示すように、内部を軸方向に貫通する断面が円形の貫通孔６ａ、６ｂが形成されている。貫通孔６ａは内端側でここに透明管５を内嵌接続し、接着剤で固定する。貫通孔６ｂが外端側で、ここに循環チューブ（例えばシリコーンゴム製）１０が内嵌接続される。
【００１６】
透明管５の両端に、ジョイント管６を接続したユニット管を作成する。透明管とジョイント管の接続は、ジョイント管内端の貫通孔６ａに透明管端部を内嵌、接着することで行う。このユニット管５本をフレーム２の固定部３の貫通孔７に挿入する。対向する固定部３、３の間隔は、ほぼ透明管５の長さに等しく、両側の固定部において両側のジョイント管６を固定できるようになっている。ジョイント管の固定は、雌ねじ孔８にビス９をねじ込むことで行われる。
【００１７】
固定部にジョイント管を固定する手段は、上記実施例に限らず、種々の固定手段を採用できる。図６は、固定手段の他の例を示している。固定部１３は別体となっている上固定部１３ａと下固定部１３ｂからなり、各固定部１３ａ、１３ｂには、ジョイント管６の外形に対応するかまぼこ形の凹部１４が形成されている。各凹部１４にジョイント部６を挟み込んで上固定部１３ａと下固定部１３ｂを接合し、ビス１５で固定することで、ジョイント管６を固定部１３に固定している。
【００１８】
図５は、付着物質観察用流路１の使用例の模式図である。付着物質観察用流路１の両側から突出しているジョイント管６の外端に、同図のように循環チューブ１０を接続し、５系統の流路を形成する。各流路には試液槽１１とポンプ１２が接続され、各試液槽１１の試液が各流路を循環する。このように、本発明の付着物質観察用流路によれば、複数の試液を用いた実験を同時に行うことができる。透明管５の内面に堆積した付着物質は、付着物質観察用流路１を顕微鏡にセットすることで、明瞭に観察できる。付着物質のサンプル採取は、ビス９を緩めて任意のユニット管を取り外し、循環チューブを取り外して付着物質を掻き出すか、透明管を切断することで行うことができる。
【００１９】
本発明は、その目的を阻害しない範囲において、実施例に種々の変更を加えることができる。例えば、フレーム（固定部及び連結部）の形状、透明管の断面形状、及びジョイント管の形状は実施例に限るものではなく、また、ジョイント管への透明管及び循環チューブの接続は内嵌に限らず、外嵌することも可能である。また、フレームに取り付けるユニット管の数も５本に限らない。
【産業上の利用可能性】
【００２０】
本発明の付着物質観察用流路は、上下水道、スチーム管、インクジェット管、人工血管、カテーテルなどの管路内面への付着物質（主にバクテリア）が堆積する様子を観察でき、また、これらの付着物質を防ぐ薬剤の効き目の検証などに用いることができる。
【図面の簡単な説明】
【００２１】
【図１】実施例の流路の平面図である。
【図２】図１におけるＡ−Ａ線断面図である。
【図３】図１におけるＢ−Ｂ線断面図である。
【図４】ジョイント管の断面図である。
【図５】流路の使用例の説明図である。
【図６】ジョイント管を固定部に固定する方法の他例の断面説明図である。
【符号の説明】
【００２２】
１  流路
２  フレーム
３  固定部
４  連結部
５  透明管
６  ジョイント管
７  貫通孔
８  雌ねじ孔
９  ビス
１０  循環チューブ
１１  試液槽
１２  ポンプ
１３  固定部
１４  凹部
１５  ビス
【図１】
2007138997.tif 000003
【図２】
2007138997.tif 000004
【図３】
2007138997.tif 000005
【図４】
2007138997.tif 000006
【図５】
2007138997.tif 000007
【図６】
2007138997.tif 000008